(57)【要約】      （修正有）【課題】映像表示装置のパネルで発生される熱を效果的に放出することで全体的なパネルの発熱を減少させることができる冷却手段を具備した映像表示装置を提供する。【解決手段】当該映像表示装置が、第１基板と第２基板とが所定間隔で離隔されてなる映像表示パネル６２０と、前記映像表示パネル６２０の側面及び前面の外郭部に設けられた伝導性部材６５０ａと、前記映像表示パネル６２０の背面に具備され、前記伝導性部材６５０ａと接触するように設けられたシャシー部材６３０とを含んでなるようにした。【選択図】図６
2006293271.tif 000002
【特許請求の範囲】
【請求項１】
第１基板と第２基板とが所定間隔で離隔されてなる映像表示パネルと、
前記映像表示パネルの背面に位置し、前記映像表示パネルの側面及び前面外郭領域までくるんでバンディングするように設けられたシャシー部材とを含む冷却手段を具備したことを特徴とする映像表示装置。
【請求項２】
前記映像表示パネルの両端には信号を印加するデータ駆動部及び走査駆動部が連結されており、前記映像表示パネルの背面に位置するように設けられる冷却手段を具備したことを特徴とする請求項１記載の映像表示装置。
【請求項３】
前記映像表示パネルは、カソード電極とゲート電極が互いに交差し、交差領域に電子放出素子を具備した第１基板、前記第１基板の電子放出素子から放出された電子によって画像を表現する第２基板、及び前記第１基板と前記第２基板との間で真空状態を維持するように支持する支持部材を含むことを特徴とする請求項１記載の映像表示装置。
【請求項４】
前記シャシー部材は、伝導性金属で形成される冷却手段を具備したことを特徴とする請求項１記載の映像表示装置。
【請求項５】
前記シャシー部材は、コ字形にバンディングするように形成された冷却手段を具備したことを特徴とする、請求項１記載の映像表示装置。
【請求項６】
前記映像表示パネルの側面及び前面の外郭領域の、前記シャシー部材によってバンディングされてくるまれる領域は、前記映像表示パネルのデータ駆動部及び走査駆動部が設けられた位置と対応する領域である冷却手段を具備したことを特徴とする請求項１記載の映像表示装置。
【請求項７】
第１基板と第２基板とが所定間隔で離隔されてなる映像表示パネルと、
前記映像表示パネルの背面に設けられるシャシー部材と、
前記映像表示パネルの側面及び前面の外郭部並びに前記シャシー部材の背面の外郭部に設けられた伝導性部材とを含む冷却手段を具備したことを特徴とする映像表示装置。
【請求項８】
前記映像表示パネルの両端には、信号を印加するデータ駆動部及び走査駆動部が連結されていて、前記映像表示パネルの背面に位置するように設けられる冷却手段を具備したことを特徴とする、請求項７記載の映像表示装置。
【請求項９】
前記映像表示パネルは、カソード電極とゲート電極が互いに交差し、交差領域に電子放出素子を具備した第１基板、前記第１基板の電子放出素子から放出された電子によって画像を表現する第２基板、及び前記第１基板と前記第２基板との間で真空状態を維持するように支持する支持部材を含むことを特徴とする請求項７記載の映像表示装置。
【請求項１０】
前記伝導性部材は、前記映像表示パネルに付着される伝導性テープ形態を持つ冷却手段を具備したことを特徴とする、請求項７記載の映像表示装置。
【請求項１１】
前記伝導性部材は、コ字形で付着する冷却手段を具備したことを特徴とする請求項１０記載の映像表示装置。
【請求項１２】
前記伝導性部材が設けられる前記映像表示パネルの側面及び前面の外郭領域は、前記映像表示パネルのデータ駆動部及び走査駆動部が設けられた位置に対応する領域である冷却手段を具備したことを特徴とする、請求項７記載の映像表示装置。
【請求項１３】
前記シャシー部材は、伝導性金属で形成される冷却手段を具備したことを特徴とする請求項７記載の映像表示装置。
【請求項１４】
前記伝導性部材は、前記映像表示パネルの前面外郭部、前記シャシー部材の背面の外郭部及び映像表示パネルの一部側面が連結されるように矩形に接触させられる冷却手段を具備したことを特徴とする、請求項７記載の映像表示装置。
【発明の詳細な説明】
【技術分野】
【０００１】
本発明は、冷却手段を具備した映像表示装置に関し、特に映像表示装置のパネルから発生される熱を效果的に放出することによって、全体的なパネルの発熱を減少させることができる冷却手段を具備した映像表示装置に関する。
【背景技術】
【０００２】
一般に、平板ディスプレイは、二つの基板の間に側壁を立てて密閉された容器を製造し、この容器の内部に適切な素材を配置して望みの画面を表示する装置であり、最近、マルチメディアの発達とともにその重要性が増している。これに応じて液晶ディスプレイ、プラズマ表示パネル、電子放出表示装置などのような様々な平面形ディスプレイが開発されて実用化されている。
【０００３】
特に、電子放出表示装置は、陰極線管と同様に電子線による蛍光体に発光を利用することによって陰極線管のすぐれた特性を維持しながらも画像の捻りがなく、低消費電力の平面形ディスプレイで具現することができる可能性が高く、視野角、高速応答、高輝度、薄型などの観点からも満足的な次世代ディスプレイとして注目されている。
【０００４】
一般に、電子放出素子は、電子源として熱陰極を利用する方式と、冷陰極を利用する方式がある。冷陰極を利用する方式の電子放出素子としては、FEA(Field Emitter Array)型、SCE(Surface Conduction Emitter)型、MIM(Metal Insulator Metal)型及びMIS(Metal Insulator Semiconductor)型、BSE(Ballistic electron Surface Emitting)型などが知られている。
【０００５】
電子放出表示装置は、カソード、アノード及びゲート電極を持つ３極管の構造からなる。より具体的には、基板上に一般的にスキャン電極として使用されるカソード電極が形成され、カソード電極上にホールを持つ絶縁層と、一般的にデータ電極として使用されるゲート電極が積層される。そして、ホールの内部で電子放出源であるエミッタが形成されてカソード電極に接触する。
【０００６】
このように構成された電子放出表示装置は、エミッタに高電界を集中させて量子力学的なトンネル效果によって電子を放出させ、エミッタから放出された電子がカソード電極及びアノード電極の間に印加された電圧によって加速され、アノード電極に形成されたRGB蛍光層に衝突することにより、蛍光体を発光させて映像を表現する。
【０００７】
図１は、従来の映像表示装置の構造を示した分解斜視図であり、図２は図１のＩ-Ｉ'線に沿った断面図である。前記図１及び前記図２を参照して説明する。
【０００８】
従来の映像表示装置100の構成は、第１基板121と第２基板122とが所定の間隔で離隔されてなる映像表示パネル120と、前記映像表示パネル120の背面に設けられた放熱板130と、前記放熱板130の背面と前記映像表示パネル120の側面をくるむボトムカバー110と、前記映像表示パネル120の前面の角部及び側面部を固定して前記ボトムカバー110に結合されるトップカバー140とを含むものである。
【０００９】
前記映像表示パネル120は、電子放出基板である第１基板121と、画像形成基板である第２基板122とが、真空状態を維持して所定の間隔で離隔されて形成されている。この時、第１基板121と第２基板122の間には、真空状態を維持して二つの基板121、122を支持する支持手段123が含まれる。
【００１０】
前記のように構成された映像表示パネル120には、データ信号を供給するデータ駆動部124aと、スキャン信号を供給するスキャン駆動部124bとがそれぞれ連結されている。ここで、前記映像表示パネル120に信号を供給するデータ駆動部124a及びスキャン駆動部124bでは、多量の電流量によって高熱が発生する。このように発生した熱によってパネル全体の温度が上昇することになる。この時、前記映像表示パネル120の駆動中に発生する熱は、背面に設けられた放熱板130によって放出される。
【００１１】
しかし、前記のように映像表示パネルの発光有効面に限った放熱板の接触のみでは、実際には、熱が多量に発生する部位の熱をまともに放出することができないという問題がある。
【００１２】
なお、従来の冷却手段を具備した映像表示装置に関する技術を記載した文献としては、電界放出素子の製造方法及び冷却装置を開示した下記特許文献１等がある。
【００１３】
【特許文献１】韓国特許開第１９９９−００４３００８号明細書
【発明の開示】
【発明が解決しようとする課題】
【００１４】
したがって、本発明は、前記問題点を解決するために案出されたものであり、その目的は、映像表示装置のパネルから発生される熱を效果的に放出することによって全体的なパネルの発熱を減少させることができる冷却手段を具備した映像表示装置を提供することにある。
【課題を解決するための手段】
【００１５】
前記目的を達成するために本発明による冷却手段を具備した映像表示装置は、第１基板と第２基板とが所定の間隔で離隔されてなる映像表示パネルと、映像表示パネルの背面に位置し、前記映像表示パネルの側面及び前面外郭領域までくるんでバンディングする(banding)ように設けられたシャシー部材とを含んでなることを特徴とする。
【００１６】
また、前記目的を達成するために本発明による冷却手段を具備した映像表示装置は、第１基板と第２基板とが所定間隔で離隔されてなる映像表示パネルと、前記映像表示パネルの背面に設けられるシャシー部材と、前記映像表示パネルの側面及び前面の外郭部並びに前記シャシー部材の背面の外郭部に設けられた伝導性部材とを含んでなることを特徴とする。
【発明の効果】
【００１７】
以上説明したように、本発明による冷却手段を具備した映像表示装置によれば、映像表示装置のパネルから発生される熱を效果的に放出することにより全体的なパネルの発熱を減少させることができる。
【発明を実施するための最良の形態】
【００１８】
以下、添付された図面を参照して、本発明による冷却手段を具備した映像表示装置を詳しく説明する。
【００１９】
図３は、本発明による第1実施形態の冷却手段を具備した映像表示装置についての構造を概略的に示した分解斜視図であり、図４は、図３のＩＩ−ＩＩ'線に沿った断面図である。
【００２０】
前記図３及び図４に示したように、本発明の冷却手段を具備した映像表示装置300は、第１基板321と第２基板322とが所定の間隔で離隔されてなる映像表示パネル320と、前記映像表示パネル320の背面に位置し、前記映像表示パネル320の側面及び前面外郭領域までくるんでバンディングするように設けられたシャシー部材330とを含んでなる。
【００２１】
より好ましくは、前記映像表示パネル320の背面及び外郭部を固定してくるむボトムカバー310及び前記映像表示パネル320の前面外郭部をくるむトップカバー340がさらに含まれる。
【００２２】
一方、図５は、図４の映像表示パネルの構造を概略的に示した断面図である。ここで、図示の構造は特に限定されず、様々なパネルの構造が可能である。
【００２３】
図５に示したように、前記映像表示パネル320は、電子放出基板である第１基板321と画像形成基板である第２基板322とが、真空状態を維持して所定の間隔で離隔されて形成されている。この場合、第１基板321と第２基板322との間には、真空状態を維持して二つの基板321、322を支持する支持部材323が設けられている。そして、前記映像表示パネル320には、データ信号及びスキャン信号を供給するパネル駆動部データ(駆動部及び走査駆動部)324a、324bがそれぞれ連結されている。
【００２４】
より詳しく説明すれば、前記映像表示パネル320の電子放出基板である前記第１基板321は、透明基板520上に所定の形状で、例えば、ストライプ状にカソード電極521を形成し、電子放出素子は、カソード電極521とゲート電極524とが交差する領域に電子放出部522を具備して形成される。カソード電極521は基板520と同じ理由で、例えば、ITO(Indium Tin Oxide)が使用される。
【００２５】
絶縁層523は、基板520およびカソード電極521の上部に形成され、カソード電極521とゲート電極524を電気的に絶縁する。絶縁層523は、カソード電極521が露出するように、カソード電極521とゲート電極524の交差領域に少なくとも一つの第１ホール525を具備する。
【００２６】
ゲート電極524は、絶縁層523上に所定の形状で、例えば、ストライプ状にカソード電極521と交差する方向に配置され、データ電極駆動部または走査電極駆動部から印加されるそれぞれのデータ信号またはスキャン信号を各電子放出素子に供給する。ゲート電極524は、電子放出部522が露出するように、第１ホールに対応して少なくとも一つの第２ホール535を具備する。
【００２７】
そして、画像形成基板である前記第２基板322は、透明基板510と、前記透明基板510上に形成されるアノード電極511と、該アノード電極511上に電子放出部522から放出された電子によって発光する蛍光体512と、該蛍光体512間に形成される光遮蔽膜513とを含む。
【００２８】
前記映像表示パネル320は、前記第１基板321と第２基板322を密封して真空状態を維持して二つの基板321、322を支持する支持手段323を含む。
【００２９】
また、第１基板321と第２基板322との間の内部真空空間を映像表示装置300の外部から加えられる大気圧に対抗させる支持手段323及び一定間隔で維持しながら支持するスペーサ530を含むが、スペーサ530の一端部は光遮蔽膜513に接触して形成され、他端部は絶縁層523の上部に接触して形成される。
【００３０】
一方、前記映像表示パネル320は電子放出素子で上部ゲート構造を例として挙げたが、これに限定されず、電子を放出する構造であれば下部ゲート構造及び二重ゲート構造を含む多様な構造が可能である。
【００３１】
そして、前記のような映像表示パネル320は、前記外部電源から前記映像表示パネルのカソード電極521には(+)電圧が、ゲート電極524には(-)電圧が、光遮蔽膜513には(+)電圧が印加される。これにより、前記カソード電極521と前記ゲート電極524との電圧差によって電子放出部522の周りに電界が形成されて電子が放出され、放出された電子は、アノード電極511に印加された高電圧に誘導されて当該画素の蛍光体領域512に衝突し、これを発光させてイメージの階調を具現する。
【００３２】
一方、このように形成された映像表示パネルには、データ信号及びスキャン信号を供給するパネル駆動部324a、324bがそれぞれ連結されている。そして、前記パネル駆動部324a、324bは、前記映像表示パネル320の背面に位置する。この場合、前記パネル駆動部324a、324bから発生された熱は、前記映像表示パネル320の前記支持手段323を通じて伝達され、前記映像表示パネル320全体の温度が上昇する。したがって、前記映像表示パネル320の熱を放出するために、前記映像表示パネル320の側面及び前面外郭領域までくるまれるようにコ字形にバンディングされて設けられている。
【００３３】
より詳細には、シャシー部材330が、熱伝導性が優秀な金属物質で形成され、前記映像表示パネル320の背面に位置した前記パネル駆動部(データ駆動部及び走査駆動部)324a、324bの下端に設けられる。この場合、前記シャシー部材330は前記映像表示パネル320と同程度の大きさに設けられて、前記映像表示パネル320全体の熱の伝達を受ける。すなわち、前記パネル駆動部(データ駆動部及び走査駆動部)324a、324bは、前記シャシー部材330に直接的に接触させられ、前記パネル駆動部324a、324bから発生された熱が前記シャシー部材330に直接伝達されることによって、前記映像表示パネル320に伝達される熱は減少されることができる。
【００３４】
そして、前記映像表示パネルの前面に伝達される熱を放熱するために、前記シャシー部材が前記映像表示パネルの側面及び前面の外郭領域までバンディングしてくるんでいる。この場合、外郭領域は、前記映像表示パネルのデータ駆動部及び走査駆動部が設けられた位置に対応するようにする。
【００３５】
一方、前記シャシー部材330の下部には、前記ボトムカバー310が設けられ、このボトムカバー３１０に、前記シャシー部材330及び前記映像表示パネル320が設けられている。この場合、前記ボトムカバー310はAL材質から形成されていて、前記映像表示パネルの側面までくるむようにＬ字形に折り曲げられている。そして、前記トップカバー340は、前記映像表示パネル320が離脱することを防止するために、端の所定領域が折り曲げられて前記ボトムカバー310に締結される。
【００３６】
また、図６は、本発明による第２実施形態の冷却手段を具備した映像表示装置についての構造を概略的に示した分解斜視図であり、図７は、前記図６のＩＩＩ−ＩＩＩ'線に沿った断面図である。前記図６及び図７に示されたように、本発明の冷却手段を具備した映像表示装置600は、第１基板621と第２基板622とが所定の間隔で離隔されてなる映像表示パネル620と、前記映像表示パネル620の背面に設けられるシャシー部材630と、前記映像表示パネル620の側面及び前面の外郭部並びに前記シャシー部材の背面に設けられた伝導性部材650a、650bを含んでなる。
【００３７】
より好ましくは、当該映像表示装置は、前記映像表示パネル620の背面及び外郭部を固定してくるむボトムカバー610及び前記映像表示パネル620の前面外郭部をくるむトップカバー640をさらに含む。そして、前記映像表示パネル620には、データ信号及びスキャン信号を供給するパネル駆動部(データ駆動部及び走査駆動部)624a、624bがそれぞれ連結されている。
ここで、本発明の第２実施形態についての詳しい説明は、前記第１実施形態を参照して省略する。
【００３８】
前記伝導性部材650a、650bは、前記パネル駆動部624a、624bに対応する位置である、前記映像表示パネル620の前面及び前記シャシー部材630の背面の外郭部に設けられている。そして、前記映像表示パネル620の側面と一度に連結されたコ字形に形成されている。ここで、前記伝導性部材650a、650bは、前記映像表示パネル620に接触しやすいように柔軟な形態にしなければならない。
【００３９】
前記伝導性部材650a、650bは、接触しやすいように伝導性テープ形態で形成することができる。この場合、前記伝導性部材650a、650bは金属と熱伝導率の優秀な金属物質とから形成される。
【００４０】
前記シャシー部材630は、前記伝導性部材650a、650bと前記パネル駆動部624a、624bがそれぞれ接触させられて前記パネル駆動部624a、624bから発生された熱を放出するようになる。一方、前記シャシー部材630は、前記映像表示パネルの大きさよりも小さく形成することもできる。すなわち、前記シャシー部材の大きさが減った部分だけ、前記伝導性部材650a、650bが前記映像表示パネル620の背面に形成されることにより、映像表示装置の全体の重さを減らすことができる。
【００４１】
また、図８は、本発明による第3実施形態の冷却手段を具備した映像表示装置についての構造を概略的に示した分解斜視図であり、図９は、前記図８のＩＶ−ＩＶ'線に沿った断面図である。
【００４２】
前記図８及び図９に示したように、本発明の冷却手段を具備した映像表示装置800は、第１基板821と第２基板822とが所定の間隔で離隔されてなる映像表示パネル820と、該映像表示パネル820の背面に具備されたシャシー部材830と、前記映像表示パネル820の前面及び前記シャシー部材830の後面の外郭部に接触するように設けられた伝導性部材850a、850bとを含んでなる。
【００４３】
より好ましくは、前記映像表示パネル820の背面及び外郭部を固定してくるむボトムカバー810及び前記映像表示パネル820の前面外郭部をくるむトップカバー840をさらに含む。
【００４４】
そして、前記映像表示パネル820にはデータ信号及びスキャン信号を供給するパネル駆動部(データ駆動部及び走査駆動部)824a、824bがそれぞれ連結されている。ここで、本発明の第3実施形態についての説明は前記第2実施形態を参照して省略する。
【００４５】
前記伝導性部材850a、850bは、前記パネル駆動部824a、824bに対応する位置である、前記映像表示パネル820の前面及び前記シャシー部材の背面外郭部に付着され、前記映像表示パネルの外郭部の一部側面に付着される。したがって、前記伝導性部材850a、850bは、前記映像表示パネル820の前面、前記シャシー部材の背面外郭部及び前記映像表示パネルの外郭部一部側面が一度に連結されるように矩形に付着されている。
【００４６】
ここで、前記伝導性部材850a、850bは、前記映像表示パネル820に接触しやすいように柔軟な形態にしなければならない。前記伝導性部材850a、850bは接触しやすいように伝導性テープ形態で形成することができる。この時、前記伝導性部材850a、850bは金属と熱伝導率の優秀な金属物質とから形成される。また、前記シャシー部材830は、前記伝導性部材850a、850bと前記パネル駆動部824a、824bがそれぞれ接触させられて、これらの前記パネル駆動部824a、824bから発生された熱を放出するようになる。したがって、前記第１実施形態、第２実施形態及び第３実施形態のように、前記映像表示装置に放熱手段を具備することにより映像表示パネルの熱を減少させることができる。
【００４７】
以上、添付の図面を参照しながら本発明の好適な実施例について説明したが、前記説明は単に本発明を説明するための目的であり、意味限定や請求の範囲に記載された本発明の範囲を制限するためのものではない。したがって、前記説明によって当業者であれば、本発明の技術思想を逸脱しない範囲で各種の変更および修正が可能であることはいうまでもない。
【図面の簡単な説明】
【００４８】
【図１】従来の映像表示装置の構造を示した分解斜視図である。
【図２】図１のＩ−Ｉ'線に沿った断面図である。
【図３】本発明による第1実施形態の冷却手段を具備した映像表示装置についての構造を概略的に示した分解斜視図である。
【図４】図３のＩＩ−ＩＩ'線に沿った断面図である。
【図５】図４の映像表示パネルの構造を概略的に示した断面図である。
【図６】本発明による第2実施形態の冷却手段を具備した映像表示装置についての構造を概略的に示した分解斜視図である。
【図７】図５のＩＩＩ−ＩＩＩ'線に沿った断面図である。
【図８】本発明による第３実施形態の冷却手段を具備した映像表示装置についての構造を概略的に示した分解斜斜視図である。
【図９】図８のＩＶ−ＩＶ'線に沿った断面図である。
【符号の説明】
【００４９】
310、  610、  810  ボトムカバー
320、  620、  820  映像表示パネル
321、  621、  821  第１基板
322、  622、  822  第２基板
323、  623、  823  支持部材
324a、  324b、  624a、  624b、  824a、  824b  パネル駆動部
330、  630、  830  シャシー部材
340、  640、  840  トップカバー
650a、  650b、  850a、  850b  伝導性部材
510、  520  透明基板
511  アノード電極
512  蛍光体
513  光遮蔽膜
521  カソード電極
522  電子放出部
523  絶縁層
524  ゲート電極
530  スペーサ
【図１】
2006293271.tif 000003
【図２】
2006293271.tif 000004
【図３】
2006293271.tif 000005
【図４】
2006293271.tif 000006
【図５】
2006293271.tif 000007
【図６】
2006293271.tif 000008
【図７】
2006293271.tif 000009
【図８】
2006293271.tif 000010
【図９】
2006293271.tif 000011